(57)【特許請求の範囲】
【請求項１】
第１筐体と、
第２筐体と、
前記第１筐体と前記第２筐体とを第１回転軸を中心に開閉可能に連結するヒンジ部と、を備え、
前記ヒンジ部内にケーブルを挿通させて互いの筐体内に配置される回路基板同士を接続させる携帯電子機器であって、
前記ケーブルは、端部に前記第１筐体内に配置された回路基板に接続されるコネクタを有し、
前記ヒンジ部は、第１回転軸方向と一致する方向に中空状に形成されると共に、中空部内に前記第１筐体内から前記ケーブルが挿通される開閉軸部材を有し、
前記第１筐体には、前記開閉軸部材を回動可能に軸支する凹部を有する軸受部が突出形成されており、
前記凹部の底部には、前記第１筐体の内部と連通する連通孔が形成されており、
前記連通孔は、その一部が拡幅された拡幅部を備えた円形形状に形成されることを特徴とする携帯電子機器。
【請求項２】
前記軸受部の前記第１回転軸方向における長さは、前記コネクタの長手方向における長さよりも短いことを特徴とする請求項１に記載の携帯電子機器。
【請求項３】
前記連通孔における拡幅は、前記凹部の内部の内壁面側まで形成されており、
前記開閉軸部材の一方端側は、中空状に形成された筒状部材を嵌装させた状態で前記軸受部に軸支されており、
前記筒状部材は、前記第１筐体よりも摩擦係数の低い材料により形成されると共に、前記凹部内の前記底部側に配置されることを特徴とする請求項１又は２に記載の携帯電子機器。
【請求項４】
前記軸受部における前記連通部と対向する前記第１筐体には、前記第１筐体の肉厚が他の面よりも薄肉に形成される薄肉部が形成されることを特徴とする請求項３に記載の携帯電子機器。
【請求項５】
前記薄肉部は、前記軸受部内壁が、前記連通孔に近い側から遠い側に向かって傾斜する傾斜面を形成することを特徴とする請求項４に記載の携帯電子機器。
【請求項６】
前記開閉軸部材の他方端側には、前記開閉軸部材を開閉方向に付勢する軸部材を固定する固定部が形成されることを特徴とする請求項１から５のいずれかに記載の携帯電子機器。
【請求項７】
前記ヒンジ部は、前記開閉軸部材と直交する第２回転軸を中心に第２筐体を第１筐体に対して回転可能に連結する回転軸部材をさらに備えることを特徴とする請求項６に記載の携帯電子機器。
【請求項８】
前記凹部は、前記拡幅部に対して、前記第１回転軸を挟んで反対側の縁部近傍が拡幅されていることを特徴とする請求項１から７のいずれかに記載の携帯電子機器。
【発明の詳細な説明】
【技術分野】
【０００１】
本発明は、携帯電話機や簡易型携帯電話機等の移動通信機、或いはＰＤＡ（Ｐｅｒｓｏｎａｌ  Ｄｉｇｉｔａｌ  Ａｓｓｉｓｔａｎｔｓ）といった携帯電子機器に関する。特には、折り畳み可能に連結された携帯電子機器の連結構造に関する。
【背景技術】
【０００２】
近年、携帯電子機器の１つである携帯電話機には、表示部と操作部とが一の筐体に形成される一体型の携帯電話機（いわゆる、ストレートタイプ）のほか、液晶表示画面を拡大させるために、表示部と操作部とを構成する筐体をそれぞれ別々に形成し、それらを折り畳み可能に連結させた折り畳み式のものや、スライド自在に連結させたスライド式のものが種々提案されている。
【０００３】
特に、折り畳み式の携帯電話機においては、テレビチューナー等の各種機能の多機能化、高性能化に加え、筐体自身も単に開閉するのみでなく、２軸ヒンジ機構を使用することにより回転等の動作も可能なものが実用化されている。
【０００４】
ところで、このように構成された折り畳み式の携帯電話機は、表示部側筐体と操作部側筐体とが別体として構成されていることより、それぞれの回路基板に実装される電子回路を電気的に接続させる必要があった。そして、この電気的な接続は、一般に、フレキシブル配線基板（以下、ＦＰＣという）を用いることにより行われていた。例えば、螺旋状に巻いたフレキシブル配線基板を、巻いた状態のまま作業者等が指で保持しながらヒンジ部に組み込むことにより行われていた。
【０００５】
しかしながら、ＦＰＣは、一般に多方向に対する可撓性を有さないため、開閉時におけるヒンジの回動軸方向に対する位置ずれ等によりＦＰＣが捩れてしまい、断線するおそれがあった。
【０００６】
これに対し、表示部側筐体と操作部側筐体とを細線ケーブルを用いて電気的に接続させる携帯電話機が開示されている（例えば、特許文献１参照）。
【０００７】
特許文献１に記載の携帯電話機は、ヒンジの一方側にヒンジパーツを設けると共に、他方側に筒状の回転のみを許容するダミーヒンジを設け、ダミーヒンジの内部に細線ケーブルを挿通させている。そして、細線ケーブルの両端にはコネクタが接続されており、回路基板側に設けられたコネクタと接続させることにより導通を図っている。
【０００８】
また、回転２軸ヒンジ機構を有する折り畳み式の携帯電話機において、上記と同様の細線ケーブルを使用して回路基板同士を接続させた携帯電話機が開示されている（例えば、特許文献２参照）。
【特許文献１】特開２００６−６７５２５号公報
【特許文献２】特開２００７−１５８９２２号公報
【発明の開示】
【発明が解決しようとする課題】
【０００９】
しかしながら、特許文献１及び２に記載の携帯電話機においては、細線ケーブルは、コネクタが組み込まれた状態で軸受部の開口から筐体内部に組み込まれることから、開口が小さい場合には、コネクタ（細線ケーブル）を挿通させにくいという問題があった。また、開口を大きくすると、ヒンジ部が大きくなってしまうという問題があった。
【００１０】
さらに、軸受部の出口側と対向する壁部が挿入させるコネクタと干渉する場合もあり、この場合、壁部の一部を取り外し可能な別部品とすることも考えられるが、そうすると部品点数が増え、コストアップにつながるという問題があった。
【００１１】
本発明は、折り畳み可能な携帯電子機器の組立作業性を向上させると共に、ヒンジ部の小型化が可能な携帯電子機器を提供することを目的とする。
【課題を解決するための手段】
【００１２】
本発明は、第１筐体と、第２筐体と、前記第１筐体と前記第２筐体とを第１回転軸を中心に開閉可能に連結するヒンジ部と、を備え、前記ヒンジ部内にケーブルを挿通させて互いの筐体内に配置される回路基板同士を接続させる携帯電子機器であって、前記ケーブルは、端部に前記第１筐体内に配置された回路基板に接続されるコネクタを有し、前記ヒンジ部は、第１回転軸方向と一致する方向に中空状に形成されると共に、中空部内に前記第１筐体内から前記ケーブルが挿通される開閉軸部材を有し、前記第１筐体には、前記開閉軸部材を回動可能に軸支する凹部を有する軸受部が突出形成されており、前記凹部の底部には、前記第１筐体の内部と連通する連通孔が形成されており、前記連通孔は、その一部が拡幅された拡幅部を備えた円形形状に形成されることを特徴とする携帯電子機器に関する。
【００１３】
また、携帯電子機器は、前記軸受部の前記第１回転軸方向における長さが前記コネクタの長手方向における長さよりも短いことが好ましい。
【００１４】
また、携帯電子機器は、前記連通孔における拡幅が前記凹部の内部の内壁面側まで形成されており、前記開閉軸部材の一方端側は、中空状に形成された筒状部材を嵌装させた状態で前記軸受部に軸支されており、前記筒状部材は、前記第１筐体よりも摩擦係数の低い材料により形成されると共に、前記凹部内の前記底部側に配置されることが好ましい。
【００１５】
また、携帯電子機器は、前記軸受部における前記連通部と対向する前記第１筐体には、前記第１筐体の肉厚が他の面よりも薄肉に形成される薄肉部が形成されることが好ましい。
【００１６】
また、携帯電子機器は、前記薄肉部は、前記軸受部内壁が、前記連通孔に近い側から遠い側に向かって傾斜する傾斜面を形成することが好ましい。
【００１７】
また、携帯電子機器は、前記開閉軸部材の他方端側には、前記開閉支持部材を開閉方向に付勢する軸部材を固定する固定部が形成されることが好ましい。
【００１８】
また、携帯電子機器は、前記ヒンジ部は、前記開閉軸部材と直交する第２回転軸を中心に第２筐体を第１筐体に対して回転可能に連結する回転軸部材をさらに備えることが好ましい。
【００１９】
また、携帯電子機器は、前記凹部は、前記拡幅部に対して、前記第１回転軸を挟んで反対側の縁部近傍が拡幅されていることが好ましい。
【発明の効果】
【００２０】
本発明によれば、折り畳み可能な携帯電子機器の組立作業性を向上させると共に、ヒンジ部の小型化が可能な携帯電子機器を提供することができる。
【発明を実施するための最良の形態】
【００２１】
以下、図面を参照して本発明を実施するための最良の形態を説明する。
【００２２】
まず、図１から図４により、携帯電子機器としての携帯電話機１における基本構造について説明する。図１は、携帯電子機器としての携帯電話機１を開いた状態（第１開状態）を示す。図２は、表示部側筐体３を回動軸Ｙを中心にして所定角度回動させた状態を示す。図３は、表示部側筐体３を回動軸Ｙを中心にして１８０°回動させた状態（第２開状態）を示す。図４は、携帯電話機１を閉じた状態（第１閉状態）を示す。
【００２３】
図１から図４に示すように、本実施形態に係る携帯電話機１は、第１筐体である操作部側筐体２と、第２筐体である表示部側筐体３と、操作部側筐体２と表示部側筐体３とを連結するヒンジ部である連結部１００と、を備える。連結部４は、２軸ヒンジ機構を有し、２軸ヒンジ機構は、表示部側筐体３を第１回転軸である開閉軸Ｘを中心に回動させることにより携帯電話機１を開状態と閉状態とを切り替え可能な開閉ヒンジと、表示部側筐体３を第２回転軸である回動軸Ｙを中心にして回動させることにより携帯電話機１を表状態と裏状態とを切り替え可能な回転ヒンジと、を備える。これにより、携帯電話機１は、開状態及び閉状態に折り畳み自在に変形可能となると共に、開状態及び閉状態のそれぞれにおいて表示部側筐体３を表状態と裏状態とに切り替えることが可能になる。
【００２４】
ここで、開状態とは、操作部側筐体２と表示部側筐体３とが互いに重ならないように配置された状態をいい（図１参照）、閉状態とは、操作部側筐体２と表示部側筐体３とが互いに重なるように配置された状態をいう（図示せず）。また、表状態とは、開状態において、操作部側筐体２のフロントケース２ａに配置される操作キー群１１と表示部側筐体３のフロントケース３ａに配置されるディスプレイ３０とが同じ側を向くように配置された状態（第１開状態、図１参照）、又は閉状態において、表示部側筐体３におけるディスプレイ３０と操作部側筐体２における操作キー群１１とが対向するように配置された状態をいう（第１閉状態、図４参照）。また、裏状態とは、開状態において、操作部側筐体２における操作キー群１１と表示部側筐体３におけるディスプレイ３０とが反対側を向くように配置された状態（第２開状態、図３参照）、又は閉状態において、表示部側筐体３におけるディスプレイ３０と操作部側筐体２における操作キー群１１とが対向せずに表出した状態（第２閉状態、図示せず）をいう。
【００２５】
操作部側筐体２は、外面がフロントケース２ａとリアケース２ｂにより構成される。フロントケース２ａ側には、操作キー群１１と、携帯電話機１の使用者が通話時に発した音声が入力されるマイクとしての音声入力部１２と、がそれぞれ露出するように配置される。
【００２６】
操作キー群１１は、各種設定や電話帳機能やメール機能等の各種機能を作動させるための機能設定操作キー１３、電話番号の数字やメール等の文字等を入力するためのテンキー等からなる入力操作キー群１４、各種操作における決定や上下左右方向のスクロール等を行う操作部材としての決定操作キー１５と、から構成されている。操作キー群１１を構成する各キーそれぞれには、操作部側筐体２と表示部側筐体３との開閉状態や表裏状態等の変形状態や、起動されているアプリケーションの種類に応じて所定の機能が割り当てられる（キー・アサイン）。そして、操作キー群１１を構成する各キーが使用者により押圧されることで、各キーに割り当てられている機能に応じた動作が実行される。
【００２７】
音声入力部１２は、フロントケース２ａの長手方向における連結部１００側（上端部側）と反対の外端部側に配置される。つまり、音声入力部１２は、携帯電話機１が第１開状態にある場合に一方の外端部側に配置される。
【００２８】
表示部側筐体３は、外面がフロントケース３ａとリアケース３ｂにより構成される。表示部側筐体３におけるフロントケース３ａには、各種情報を表示するための所定形状のディスプレイ３０と、通話の相手側における音声を出力するレシーバーとしての音声出力部３１とが露出するように配置される。音声出力部３１は、表示部側筐体３の長手方向における連結部１００側（下端部側）とは反対の外端部側に配置される。つまり、音声出力部３１は、携帯電話機１が開状態において他方の端部側に配置される。
【００２９】
また、表示部側筐体３のリアケース３ｂには、各種情報を表示するためのサブディスプレイ３２が露出して配置される。ディスプレイ３０及びサブディスプレイ３２それぞれは、液晶パネルと、この液晶パネルを駆動する駆動回路と、この液晶パネルの背面側から光を照射するバックライト等の光源部とから構成される。
【００３０】
連結部１００は、操作部側筐体２と表示部側筐体３とを、開閉軸Ｘを中心にして任意の角度で開閉自在に連結すると共に、回動軸Ｙを中心に任意の角度で回動自在に連結する２軸ヒンジ機構を備える。
【００３１】
続いて、図５から図８により、操作部側筐体２、表示部側筐体３及び連結部１００の内部構造について説明する。図５は、操作部側筐体２の分解斜視図を示す。図６（Ａ）は、第１軸受部の断面を表した斜視断面図を示し、図６（Ｂ）は、軸受部２００の中心側から見た第１軸受部２１０の正面図を示し、図６（Ｃ）は、第１軸受部２１０の断面図を示す。図７は、表示部側筐体３の分解斜視図を示す。図８は、連結部１００の分解斜視図を示す。
【００３２】
操作部側筐体２は、図５に示すように、フロントケース２ａと、上述した操作キー群１１を構成するキーシート４０と、キースイッチが配置されるフレキシブルプリント配線基板５０と、シールドケース６０と、基準電位パターン層及び携帯電話機用のＲＦ（Ｒａｄｉｏ  Ｆｒｅｑｕｅｎｃｙ）モジュール等の各種電子部品を備える回路基板７０と、リアケース２ｂと、を備える。また、リアケース２ｂには、アンテナ８０が外部に伸長可能に配置されると共に、バッテリ９０がリアケース２ｂの外側から装脱可能に収容される。リアケース２ｂは、バッテリ９０収容後、蓋部により閉蓋される。
【００３３】
フロントケース２ａとリアケース２ｂとは、互いの凹状の内側面が向き合うように配置され、互いの外周縁が重なり合うようにして結合される。また、フロントケース２ａとリアケース２ｂとの間には、キーシート４０と、フレキシブルプリント配線基板５０と、シールドケース６０と、回路基板７０とがフロントケース２ａ側からこの順番で収納配置される。
【００３４】
回路基板７０における第１の面７２には、図示しない各種電子部品及び基準電位パターン層が形成される。また、回路基板７０における第２の面７３には、各種電子部品が配置される。
【００３５】
シールドケース６０は、薄型の直方体における一の広い面が開口した形状を有する金属製の部材である。なお、シールドケース６０は、金属により形成する以外に、骨格を樹脂により形成し、その表面に金属性の導体膜を形成したものでもよい。
【００３６】
フレキシブルプリント配線基板５０は、フロントケース２ａ側の面に複数のキースイッチ５１、５２、５３を有している。フレキシブルプリント配線基板５０のキースイッチ５１、５２、５３は、椀状に湾曲して立体的に形成された金属板のメタルドームを有する構造になっている。メタルドームは、その椀状形状の頂点が押圧されると、フレキシブルプリント配線基板５０の表面に印刷された不図示の電気回路に形成されるスイッチ端子に接触して電気的に導通する。なお、フレキシブルプリント配線基板５０は、複数の絶縁フィルムの間に配線を挟み込んだものである。
【００３７】
キーシート４０は、シリコンゴム製のシート４１の表面に操作キー群１１が接着剤により貼り付けられて構成される。キーシート４０における操作キー群１１を構成する機能設定操作キー１３、入力操作キー１４及び決定操作キー１５は、フレキシブルプリント配線基板５０におけるキースイッチ５１、５２、５３と対向する位置に配置されると共に、後述するフロントケース２ａに形成されるキー孔４５から露出するように配置される。
【００３８】
フロントケース２ａには、携帯電話機１を折り畳んだ状態で表示部側筐体３のディスプレイ３０と対向する内側面に、キー孔４５が複数形成される。複数のキー孔４５それぞれからは、キーシート４０上に形成される機能設定操作キー１３、入力操作キー１４及び決定操作キー１５の押圧面が露出する。この露出した操作キー群１１を構成する機能設定操作キー１３、入力操作キー１４及び決定操作キー１５の押圧面を押し下げるように押圧することで、対応するキースイッチ５１、５２、５３それぞれにおけるメタルドーム（椀状形状）の頂点が押圧され、スイッチ端子に接触して電気的に導通する。
【００３９】
フロントケース２ａの上端部側には、連結部１００が連結される軸受部２００が設けられている。軸受部２００は、フロントケース２ａの表面において、リアケース２ｂが配置される側と反対側に突出するように形成される。
【００４０】
軸受部２００は、後述の開閉軸部材１１０の一方端１１１を軸支する第１軸受部２１０と、開閉軸部材１１０の他方端側に形成される固定部である他方端１１２に固定される軸部材である第１軸部材１４０を軸支する第２軸受部２２０と、を有する。つまり、第１軸受部２１０及び第２軸受部２２０は、開閉軸部材１１０を開閉軸Ｘを中心に回動可能に軸支する。
【００４１】
また、第１軸受部２１０及び第２軸受部２２０には、開閉軸Ｘの軸心方向に互いに向き合うように開口し、操作部側筐体２の内部と連通するように円筒形に開口された凹部である開口部２１１、２２１がそれぞれ設けられている。開口部２１１、２２１は、入口側開口２１２、２２２と、連通孔である出口側開口２１３、２２３と、入口側開口２１２、２２２と出口側開口２１３、２２３とを繋ぐ内壁面２１４と、で構成される。第１軸受部２１０の入口側開口２１２と、第２軸受部２２０の入口側開口２２２とは、対向するように形成されると共に、それぞれの出口側開口２１３、２２３は操作部側筐体２の内部と連通している。
【００４２】
第１軸受部２１０に形成される開口部２１１は、図６（Ａ）及び（Ｂ）に示すように、出口側開口２１３において、円形状の一部が拡幅した形状になっている。言い換えると、出口側開口２１３には、その一部に円の中心方向と反対側に拡幅した拡幅部２１５が形成されている。拡幅部２１５は、フロントケース２ａからリアケース２ｂに向かう方向（Ｚ方向）に拡幅している。言い換えると、後述のコネクタ１７０つきケーブル１６０を開口部２１１に挿入させた場合に、出口側開口２１３においてコネクタ１７０が当接する部分が拡幅している。また、拡幅部２１５は、出口側開口２１３から内壁面２１４まで形成されている。
【００４３】
また、第１軸受部２１０に形成される開口部２１１は、入口側開口２１２においても円形状の一部が円の中心方向と反対側に拡幅した形成になっている。言い換えると、入口側開口２１２においても、その一部が円の中心方向と反対側に拡幅した拡幅部２１６が形成されている。入口側開口２１２における拡幅部２１６は、前述のＺ方向と反対方向の−Ｚ方向から回動軸Ｙ側に所定角度傾斜した方向に拡幅している。言い換えると、後述のコネクタ１７０つきケーブル１６０を開口部２１１に挿入させた場合に、入口側開口２１２においてケーブル１６０が当接する部分が拡幅している。また、入口側開口２１２における拡幅部２１６も出口側開口２１３における拡幅部２１５と同様に、入口側開口２１２から内壁面２１４まで形成されている。
【００４４】
ここで、拡幅とは、例えば、円形状に形成された円周の一部が円の中心方向と反対方向に広がった状態をいい、例えば、凸状に広がった形状、弓状（曲線状）に広がった形状、多角形状に広がった形状、切り欠き状に広がった形状等を含む。
【００４５】
また、フロントケース２ａには、図６（ａ）及び（Ｃ）に示すように、出口側開口２１３と対向するフロントケース２ａの内壁部２１７において、傾斜面２１８が形成されている。傾斜面２１８は、リアケース２ｂ側に向かう程に内壁部２１７の肉厚が薄肉になるように形成されている。つまり、傾斜面２１８は、フロントケース２ａの薄肉部を形成する。言い換えると、薄肉部は、出口側開口２１３と対向するフロントケース２ａの内壁部２１７を傾斜面状にすることにより形成される。
【００４６】
なお、第１軸受部２１０の入口側開口２１２から内壁部２１７までの長さは、後述のケーブル１６０が接合されるコネクタ１７０の長手方向における長さよりも短くなるように形成されている（図１０（Ｃ）参照）。
【００４７】
表示部側筐体３は、図７に示すように、表示窓３００と、ディスプレイユニット３１０と、金属部材で構成される内部フレームを備えたフロントケース３ａと、基準電位パターン層及びディスプレイ用の電子部品を備える回路基板３２０と、サブディスプレイユニット３３０と、リアケース３ｂと、を備える。
【００４８】
フロントケース３ａとリアケース３ｂとは、互いの凹状の内側面が向き合うように配置されると共に、互いの外周縁が重なり合うようにして結合される。また、フロントケース３ａとリアケース３ｂとの間には、回路基板３２０と、サブディスプレイユニット３３０とが、フロントケース３ａ側からこの順番で収納配置され、フロントケース２ａの表面には、表示窓３００と、ディスプレイユニット３１０とがこの順番で嵌装される。
【００４９】
ディスプレイユニット３１０は、ディスプレイ３０と、該ディスプレイ３０を固定するホルダー（図示せず）とにより構成されている。
【００５０】
フロントケース３ａは、内部に金属製の板金部材が配置される。フロントケース３ａは、板金部材を挟んでフロントケース３ａ側及びリアケース３ｂ側それぞれに、浅い凹状の収容部が形成される。そして、フロントケース３ａ側の収容部にはディスプレイユニット３１０が収容配置され、リアケース３ｂ側の収容部には回路基板３２０が収容配置される。ここで、板金部材は、表示部側筐体３における曲げ動作や捩り動作に対する剛性確保のための補強部材及び静電対策用のシールドとして機能する。
【００５１】
回路基板３２０は、上述のようにフロントケース３ａにおけるリアケース３ｂ側の収容部に収容配置される。回路基板３２０におけるリアケース３ｂ側には、図示しない各種電子部品が配置される。また、各種電子部品は、所定の組み合わせによりディスプレイ３０やサブディスプレイ３２の表示態様やそのタイミング等の表示制御を行う表示制御ブロック等の回路ブロックを形成する。
【００５２】
サブディスプレイユニット３３０は、サブディスプレイ３２と、該サブディスプレイ３２とを固定するホルダー（図示せず）とにより構成されている。サブディスプレイユニット３３０は、リアケース３ｂと回路基板３２０とに挟まれるように配置される。また、サブディスプレイユニット３３０は、リアケース３ｂに形成される窓部３ｃから表出するように配置される。
【００５３】
連結部１００は、図８に示すように、フロントケース１００ａと、リアケース１００ｂと、開閉ヒンジを構成する開閉軸部材１１０と、回転ヒンジを構成する回転軸部材１２０と、を備える。
【００５４】
開閉軸部材１１０は、中空の筒形状に形成されており、略中央部に筒形状の一部が切り欠かれた切り欠き部１１３が形成される。切り欠き部１１３には、略中央部が切り欠かれることにより露出した部分に回転軸部材１２０と接続される接続孔１１５ａ、１１５ｂが設けられている。切り欠き部１１３からは、後述の回転軸部材１２０の連結板１２５と当接し、リアケース４ｂ側に伸びる一対の腕部１１４ａ、１１４ｂが延出している。腕部１１４ａ、１１４ｂは、後述の第２軸部材１２３を挟むように形成されている。また、開閉軸部材１１０の一方端１１１には、筒状部材１３０が嵌装され、開閉軸部材１１０の他方端１１２には、第１軸部材１４０が固定可能に配置される。筒状部材１３０は、摩擦係数の低い材料であるポリアセタール樹脂（ＰＯＭ）により形成されている。
【００５５】
回転軸部材１２０は、略Ｌ字状に形成され、開閉軸部材１１０と接合される接合部１２１と、略コの字状に形成され、表示部側筐体３と連結されるフレーム１２２と、接合部１２１に対してフレーム１２２を回転自在に連結する第２軸部材１２３と、から構成される。
【００５６】
接合部１２１は、開閉軸部材１１０と接合される接合板１２４と、接合板１２４と直交する方向に設けられ、第２軸部材１２３と連結される連結板１２５と、から構成される。接合板１２４には、開閉軸部材１１０の接続孔１１５ａ、１１５ｂと重なり合うように形成される接合孔１２４ａ、１２４ｂが形成されており、接続孔１１５ａ、１１５ｂと接合孔１２４ａ、１２４ｂとを重なり合わせた状態で、ねじ１５０により螺号することにより、開閉軸部材１１０と回転軸部材１２０とが接合される。
【００５７】
フレーム１２２は、表示部側筐体３の下端部側の外周面の一部と接合されると共に、第２軸部材１２３に回転自在に連結される。フレーム１２２と第２軸部材１２３との連結部分には、穴部１２６が設けられており、この穴部１２６に第２軸部材１２３を回転自在に嵌挿させることによりフレーム１２２と第２軸部材１２３とが連結される。
【００５８】
第２軸部材１２３は、中空状に形成されており、フレーム１２２の穴部１２６を介して操作部側筐体３側と連通される。これにより、第２軸部材１２３は、操作部側筐体２に配置される回路基板７０と表示部側筐体３に配置される回路基板３２０とを電気的に接続するケーブル１６０が挿通可能となる。
【００５９】
ここで、操作部側筐体２に配置される回路基板７０と表示部側筐体３に配置される回路基板３２０とを電気的に接続させるケーブル１６０の挿通方法について説明する。図９は、携帯電話機１におけるケーブル１６０の中継状態を示す外観斜視図である。図１０は、操作部側筐体２にケーブル１６０を挿通させる方法を説明するための外観斜視図である。図１１（Ａ）は、コネクタ１７０を装着したケーブル１６０が第１軸受部２１０の開口部２１１を挿通する状態を示す断面斜視図であり、（Ｂ）は、コネクタ１７０を装着したケーブル１６０が第１軸受部２１０の開口部２１１を挿通する状態を示す断面図である。
【００６０】
図９に示すように、表示部側筐体３に配置される回路基板３２０と操作部側筐体２に配置される回路基板７０は、ケーブル１６０を連結部１００を介して両筐体に中継し、ケーブル１６０の両端部に設けられたコネクタ１７０、１７１をそれぞれの回路基板７０、３２０に接続することにより電気的に接続される。
【００６１】
具体的には、まず、両端にコネクタ１７０、１７１を装着させたケーブル１６０と回転軸部材１１０等からヒンジモジュールを組み上げ、ケーブル１６０の他端側をフレーム１２２の穴部１２６から第２軸部材１２３の内部を挿通させて開閉軸部材１１０の切り欠き部１１３側に排出させる。そして、切り欠き部１１３側から排出されたケーブル１６０の他端側をさらに、筒状に形成された開閉軸部材１１０の一方端１１１の内部を挿通させ連結部１００の外へ排出させる。
【００６２】
次に、図１０に示すように、連結部１００から排出されたケーブル１６０の他端側を操作部側筐体２の内部に挿入させる。具体的には、ケーブル１６０の他端側は、操作部側筐体２のフロントケース２ａに形成された第１軸受部２１０の開口部２１１から挿入される。
【００６３】
ここで、ケーブル１６０は、コネクタ１７０が装着された状態で操作部側筐体２の内部に挿通させる必要がある。つまり、第１軸受部２１０の開口部２１１の内部を斜め方向に挿入させる必要がある。また、第１軸受部２１は、コネクタ１７０よりも開閉軸Ｘ方向における長さが短く形成されている。
【００６４】
これにより、ケーブル１６０を開口部２１１から挿入させると、入口側開口２１２において、ケーブル１６０の一部が入口側開口２１２と当接すると共に、出口側開口２１３においてもコネクタ１７０の一部が出口側開口２１３と当接してしまい、ケーブルの挿入が困難な状況になる。さらに、この状態で、ケーブル１６０を強く押し込むとケーブル１６０を破損させるおそれがある。
【００６５】
しかしながら、図１１（Ａ）及び（Ｂ）に示すように、本実施形態においては、入口側開口２１２及び出口側開口２１３のそれぞれに、ケーブル１６０及びコネクタ１７０が当接し係止し得る位置それぞれに拡幅部２１５、２１６を設けているため、ケーブル１６０及びコネクタ１７０が入口側開口２１２及び出口側開口２１３のそれぞれと当接しても係止することなく挿入させることが可能になる。つまり、コネクタ１７０及びケーブル１６０を開口部２１１を挿通させることができるように容易に斜め方向に傾斜させることが可能になる。
【００６６】
また、出口側開口２１３と対向する面であるフロントケース２ａの内壁部２１７において、リアケース２ｂ側に向けて薄肉になるように傾斜する傾斜面２１８が設けられているため、出口側開口２１３を通り抜けたコネクタが内壁部２１７に干渉されることなく操作部側筐体２の内部側に排出されることが可能となる。また、傾斜部が誘導路となるため、ケーブル１６０を排出させやすくなる。つまり、拡幅部２１５、２１６、傾斜面２１８は、コネクタ１７０が挿通される方向と一致する一直線上に配されて形成されている。
【００６７】
このように、本実施形態によれば、ケーブル１６０が挿入される第１軸受部２１０の開口部２１１において、入口側開口２１２及び出口側開口２１３のそれぞれに拡幅部２１５、２１６を設けているため、コネクタ１７０が装着されたケーブル１６０であっても容易に開口部２１１を挿通させることが可能になる。
【００６８】
また、本実施形態によれば、傾斜面２１８を設けることにより、コネクタ１７０が操作部側筐体２の内部方向に誘導されるため、さらに、ケーブル１６０の挿通が容易になる。これにより、ケーブル１６０の各筐体２、３への組み込みを容易とすることができる。
【００６９】
また、本実施形態によれば、開口部２１１に摩擦係数の低い材料により形成された筒状部材１３０を配置させるため、例えば、開閉軸部材１１０の回転を補助することが可能となると共に、出口側開口２１３近傍において拡幅部２１５を覆うように筒状部材１３０を配置させることにより携帯電話機１の開閉時にケーブル１６０が拡幅部２１５に引っかかり、破損することを防止することが可能になる。
【００７０】
また、本実施形態によれば、開閉軸部材１１０の一方端に開閉軸部材１１０の回転を補助する筒状部材を配置させると共に、他方端に第１軸部材１４０を配置させるため、開閉軸部材１１０の開閉の精度を向上させることが可能になる。
【００７１】
なお、本実施形態においては、携帯電子機器として携帯電話機について説明したが本発明はこれに限定されるものではなく、例えば、ＰＨＳ（登録商標：Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。また、１軸ヒンジ機構を有する携帯電話機であってもよい。
【００７２】
また、本実施形態においては、ケーブル１６０を開口部２１１に挿入させた場合に出口側開口２１３においてコネクタ１７０が当接する部分、及びケーブル１６０を開口部２１１に挿入させた場合に入口側開口２１２においてケーブル１６０が当接する部分を拡幅させたが、本発明においてはこれに限らない。例えば、入口側開口２１２における拡幅部２１６と出口側開口２１３における拡幅部２１５は、開閉軸Ｘを挟んだフロントケース側とリアケース側のようにそれぞれが反対側に設けられていればよい。
【００７３】
また、本実施形態においては、筒状部材１３０をポリアセタール樹脂（ＰＯＭ）により形成したが、本実施形態においてはこれに限らない。例えば、摩擦係数が操作部側筐体２よりも摩擦係数が低い材料により形成されていればよい。
【図面の簡単な説明】
【００７４】
【図１】携帯端末装置としての携帯電話機１を開いた状態（第１開状態）を示す。
【図２】表示部側筐体３を回動軸Ｙを中心にして所定角度回動させた状態を示す。
【図３】表示部側筐体３を回動軸Ｙを中心にして１８０°回動させた状態（第２開状態）を示す。
【図４】携帯電話機１を閉じた状態（第１閉状態）を示す。
【図５】操作部側筐体２の分解斜視図を示す。
【図６】（Ａ）は、第１軸受部の断面を表した斜視断面図を示し、（Ｂ）は、軸受部の中心側から見た第１軸受部の正面図を示し、（Ｃ）は、第１軸受部の断面図を示す。
【図７】表示部側筐体３の分解斜視図を示す。
【図８】連結部１００の分解斜視図を示す。
【図９】携帯電話機１におけるケーブル１６０の中継状態を示す外観斜視図である。
【図１０】操作部側筐体２にケーブル１６０を挿通させる方法を説明するための外観斜視図である。
【図１１】（Ａ）は、コネクタ１７０を装着したケーブル１６０が第１軸受部２１０の開口部２１１を挿通する状態を示す断面斜視図であり、（Ｂ）は、コネクタ１７０を装着したケーブル１６０が第１軸受部２１０の開口部２１１を挿通する状態を示す断面図である。
【符号の説明】
【００７５】
１    携帯電話機
２    操作部側筐体
２ａ    フロントケース
２ｂ    リアケース
３    表示部側筐体
３ａ    フロントケース
３ｂ    リアケース
１００    連結部
２１０    第１軸受部
２２０    第２軸受部
２１１、２２１    開口部
１１０    開閉軸部材
１２０    回転軸部材
１６０    ケーブル
１７０、１７１    コネクタ
２１５、２１６    拡幅部
【図１】
0004926913.tif 000002
【図２】
0004926913.tif 000003
【図３】
0004926913.tif 000004
【図４】
0004926913.tif 000005
【図５】
0004926913.tif 000006
【図６】
0004926913.tif 000007
【図７】
0004926913.tif 000008
【図８】
0004926913.tif 000009
【図９】
0004926913.tif 000010
【図１０】
0004926913.tif 000011
【図１１】
0004926913.tif 000012